(57)【要約】特に薬品の設定管理時点を信号で知らせるために医療の準備管理をより容易にする信号デバイスで、ハウジング、ハウジングに配されたデータ入力ユニット、表示ユニット及びメモリユニット、並びに、これらのユニット及び電源部に接続された制御ユニットを備え、メモリユニットは、ベーシック記憶レジスタ及び個人データ記憶レジスタを有し、メモリユニット（３０）には時間データ記憶レジスタ（３２）が付加されていると共に、制御ユニット（２０）には計数部ユニット（２１）と比較部ユニット（２２）とが付加されており、更に、制御ユニット（２０）は警告部ユニット（５０）に接続されており、比較部ユニット（２２）の入力（２２ａ）は時間データ記憶レジスタ（３３）と計数部ユニット（２１）とに接続されており、比較部ユニット（２２）の出力（２２ｂ）は直接又は制御ユニット（２０）を介して警告部ユニット（５０）に接続されている。
2006503606.tif 000002
【特許請求の範囲】
【請求項１】
特に薬品の設定管理時点を信号で知らせるために医療の準備管理をより容易にする信号デバイスであって、前記信号デバイスは、ハウジング、前記ハウジングに配されたデータ入力ユニット、表示ユニット及びメモリユニット、並びに、これらのユニット及び電源部に接続された制御ユニットを備え、前記メモリユニットは、ベーシック記憶レジスタ及び個人データ記憶レジスタを有し、
前記メモリユニット（３０）には時間データ記憶レジスタ（３２）が付加されていると共に、前記制御ユニット（２０）には計数部ユニット（２１）と比較部ユニット（２２）とが付加されており、更に、前記制御ユニット（２０）は警告部ユニット（５０）に接続されており、前記比較部ユニット（２２）の入力（２２ａ）は前記時間データ記憶レジスタ（３３）と前記計数部ユニット（２１）とに接続されており、前記比較部ユニット（２２）の出力（２２ｂ）は直接又は前記制御ユニット（２０）を介して前記警告部ユニット（５０）に接続されていることを特徴とする信号デバイス。
【請求項２】
前記ハウジング（１０）には固定コンポーネント（８０）が固定されており、前記固定コンポーネント（８０）は前記警告部ユニット（５０）に接続されていることを特徴とする請求項１に記載の信号デバイス。
【請求項３】
前記電源部（７０）は補助電源蓄積部（７１）に連結されていることを特徴とする請求項１又は請求項２に記載の信号デバイス。
【請求項４】
前記データ入力ユニット（４０）は、機能選択コンポーネント（４１）、スクローリングコンポーネント（４２）及び確認コンポーネント（４３）を有し、前記機能選択コンポーネント（４１）、前記スクローリングコンポーネント（４２）及び前記確認コンポーネント（４３）は押しボタンであることを特徴とする請求項１乃至請求項３のいずれか１項に記載の信号デバイス。
【請求項５】
前記データ入力ユニット（４０）は、削除コンポーネント（４４）、データ取り出しコンポーネント（４５）及びスタートコンポーネント（４６）を有し、前記削除コンポーネント（４４）、前記データ取り出しコンポーネント（４５）及び前記スタートコンポーネント（４６）は押しボタンであることを特徴とする請求項４に記載の信号デバイス。
【請求項６】
前記警告部ユニット（５０）は、サウンド信号コンポーネント（５１）及び／又は光信号コンポーネント（５２）及び／又は機械的信号コンポーネント（５３）を有することを特徴とする請求項１乃至請求項５のいずれか１項に記載の信号デバイス。
【発明の詳細な説明】
【技術分野】
【０００１】
本発明の主題は、医療の準備管理をより容易にする信号デバイス、特に、薬品の設定管理時点を信号で知らせるための信号デバイスに関し、この信号デバイスは、ハウジング、このハウジングに配されたデータ入力ユニット、表示ユニット及びメモリユニット、並びに、これらのユニット及び電源部に接続された制御ユニットを備え、メモリユニットは、ベーシック記憶レジスタ及び個人データ記憶レジスタを有する。
【背景技術】
【０００２】
製薬化学及び医療科学の発展により、医薬品は、増加する数の病気やそれらの症状を治療するために開発されてきている。これらの本質は、活性物質の量と効果メカニズムによって、液体又は錠剤の形態で処方された量を所定期間で服用することで管理されるべき、又は、注射により体内に投与する形態で管理されるべき、又は、他の方法が使用される医療の準備行為にある。薬品の数が多くかつ服用間隔が異なる場合、更に、年配の場合には、適切な量でかつ望ましい時点で処方通りに薬品を使用することに、問題があるかもしれない。
【０００３】
特許明細書ＨＵ２１５,２２７は、所与の人に種々の薬品を服用させるためのデバイスを開示しており、このデバイスの要旨は、処方された薬品の量とタイプが、所与の患者に割り当てられた識別子の助けを借りて決定され、これに続き、服用デバイスの助けを借りてそれらの薬品が保管容器に入れられてチェックされ、その後にのみ治療されるべき人に与えられる。
【０００４】
この解決策の利点は、患者の数が多くかつ多数のタイプの薬品がある場合、誤った薬品の管理が減少し介護スタッフが薬品を管理する仕事と責任が減少することである。
【０００５】
しかしながら、その不利益点は、長期間処置を受けている人や自由に動けて仕事をすることができる慢性病の人の場合に、このデバイスが使用できないことである。他の不利益点は、この既知のデバイスは、患者が薬品を服用しない場合に患者に異常を気付かせたり、患者の周りの人々に注意を促して、設定された時間に種々の薬品を個々の患者が服用するように警告するためには適していないことである。
【０００６】
服用された薬品の記憶用に適した幾つかの画室を有する容器も公知であり、これらの容器では、種々の時間に服用されるべき薬品が、その日の時間に従ってグループ分けされている。しかしながら、これらの容器の不利益点は、先に述べたものと同様に、薬品が服用されない場合にこれらの容器は、信号を発しないことであり、従って、これらの容器も、所与の薬品が服用されるべき時に警告を与えることができないことである。
【発明の開示】
【発明が解決しようとする課題】
【０００７】
本発明による信号デバイスの場合、その目的は、既知の解決策の欠点を克服し、この信号デバイスの助けを借りて、指示された時間に必要な薬品を服用するように処方を受けている人に警告することができ、更に、所与の時点で管理されるべき活性物質のデータが必要な場合に、外部の人々、例えば、看護士や医者に簡単にアクセスできるバージョンを創ることである。
【課題を解決するための手段】
【０００８】
本発明者を本発明に導いた知見は、薬品の名前とそれらの服用時間が、電子素子に接続され独自に設定されたメモリユニットに送られ、そこに記憶された時点データが、時間測定デバイスにより連続する周期で提供される信号と比較されるならば、この課題が解決されるということであった。エレクトロニクスと演算エレクトロニクス構成要素の発展により小型化が達成でき、非常に小さな物理的寸法で先に述べた解決策を実現できる可能性を提供する。
【０００９】
上記課題に従って、特に薬品の設定管理時点を信号で知らせるために医療の準備管理をより容易にする本発明による信号デバイスは、ハウジング、このハウジングに配されるデータ入力ユニット、表示ユニット及びメモリユニット、並びに、これらのユニットと電源部に接続された制御ユニットを備え、メモリユニットは、ベーシック記憶レジスタ及び個人データ記憶レジスタを有し、メモリユニットには時間データ記憶レジスタが付加されていると共に、制御ユニットには計数部ユニットと比較部ユニットが付加されており、更に、制御ユニットは警告部ユニットに接続されており、比較部ユニットの入力は時間データ記憶レジスタと計数部ユニットとに接続されており、比較部ユニットの出力は直接又は制御ユニットを介して警告部ユニットに接続されているように構成される。
【００１０】
本発明による信号デバイスの更なる特徴は、このハウジングに、固定コンポーネントが嵌合されており、この固定コンポーネントが警告部ユニットに接続されていることである。
【００１１】
信号デバイスが採り得る形態としては、電源部が補助電源蓄積部に連結されていてもよい。
【００１２】
本発明の更に異なる構成形態としては、データ入力ユニットは、機能選択コンポーネント、スクローリングコンポーネント及び確認コンポーネントを有し、機能選択コンポーネント、スクローリングコンポーネント及び確認コンポーネントは押しボタンであり、更に、データ入力ユニットは、削除コンポーネント、データ取り出しコンポーネント及びスタートコンポーネントを有し、削除コンポーネント、データ取り出しコンポーネント及びスタートコンポーネントは押しボタンであってもよい。
【００１３】
信号デバイスの他の異なるバージョンとしては、警告部ユニットは、サウンド信号コンポーネント及び／又は光信号コンポーネント及び／又は機械的信号コンポーネントを有するようにしてもよい。
【００１４】
本発明による信号デバイスは、多数の有利な特徴を有する。これらのうち最も大切なことは、その操作が簡単なこと及びそのサイズが小さいにも拘らず多数の信号時点があることであり、更に、これらの多数の信号時点で医療準備行為を行うことができ、薬品を使用する人の重要なデータの記録及び記憶に適し、従って、予めプログラムされた時間に、信号デバイスのユーザに薬品を服用ように警告するのみならず、その時点で使用されるべき薬品の名前と量とを提供する。
【００１５】
他の利点は、適切に設定された警告部ユニットが、幾つかのタイプの信号を同時に出すことができ、それによってより気づき易くし、治療を受けている人に非常に効果的な警告を与えることである。
【００１６】
また、これらの利点のうち特筆されるべきことは、個人データ、個人データに関する病気、生命維持薬品の名前、並びに、信号デバイスの更新設定による記憶によって、警告のために使用されるのみならず、助けを呼ぶユニットとしても使用され、警告信号がリセットされない限り、決定された条件が発生すると、信号デバイスは、自動的に一般的な警告発し、患者の周りで信号デバイスの近くにいる人々の注意も促し、これらの人々が信号デバイスの命令に基づいて治療を必要とする人に援助を与えることができる。
【００１７】
他の利点は、本発明による信号デバイスは、簡単に製造でき、容易に操作及びプログラムでき、更に、そのメンテナンスの必要性が小さく、トレーニングや専門知識を必要としないことである。
【００１８】
このように、信号デバイスは、小さな寸法のためその配置が容易であり、ポケットやベルトで携行でき、このため、治療を受けている人が服を着た状態でいつでもその人の直ぐ近くに配置することができ、信号デバイスの効果を更に高めることができる。
【発明を実施するための最良の形態】
【００１９】
以下、図面を参照して、本発明による信号デバイスの詳細について説明する。
【００２０】
図１には、本発明による信号デバイスの実施の形態が示されており、ハウジング１０の外表面は、固定コンポーネント（固定部品）８０を有している。この固定コンポーネント８０及びハウジング１０により、信号デバイス自体をベルトに取り付けることができる。ハウジング１０は、警告部ユニット５０を収容している。警告部ユニット５０は、本例では、サウンド信号コンポーネント５１、光信号コンポーネント５２、及び機械的信号コンポーネント５３を有している。これらのコンポーネントは、ユーザが警告部ユニット５０をどのように設定するかによって、互いから独立して動作しても良いし同時に動作してもよい。
【００２１】
また、この場合、ハウジング１０は、マルチラインＬＣＤディスプレイである表示ユニット６０、更に、ここでは、種々の機能を有する一セットの押しボタンから形成されたデータ入力ユニット４０を含む。データ入力ユニット４０の部分は、機能選択コンポーネント４１、スクロールコンポーネント４２、確認コンポーネント４３、並びに本実施の形態では、削除コンポーネント４４、データ取り出しコンポーネント４５、及びスタートコンポーネント４６を含んでいる。データ入力ユニットは、押しボタンとは異なる操作原理のスイッチ要素（switching elements）から構成されてもよく、スイッチ要素の数、それらの機能割り当て及び配置は、本例に示されているバージョンとは異なっても良いことに留意すべきである。しかしながら、その本質は、制御ユニットを介してデータ入力ユニット４０の助けを借りて外部情報がメモリユニット１０に送られことができること及び送られたデータが表示及び変更されることである。
【００２２】
勿論、制御ユニット２０とメモリユニット３０は、ハウジング１０内にある。ここで、メモリユニット３０は、三つの部分、すなわち、ベーシック記憶レジスタ３１、個人データ記憶レジスタ３２及び時間データ記憶レジスタ３３に分割されてもよい。ベーシック記憶レジスタ３１は、ＥＰＲＯＭであることが好ましく、種々の言語に属する文字及び数字のような、製造時に事前にプログラムされたデータを含む。個人データ記憶レジスタ３２と時間データ記憶レジスタ３３はＲＡＭであることが好ましい。個人データ記憶レジスタ３２は、特に、ユーザの名前、保険証番号、血液型、病名についてのデータ、何らかの生命維持薬品の名前と量のような、ユーザの重要なデータの記憶のために機能し、他方、時間データ記憶レジスタ３３は、ユーザによって使用される薬品の名前、それらの服用又は使用されるべき薬品の量と時間を記録するために使用することができる。
【００２３】
制御ユニット２０は、プログラム可能なマイクロプロセッサを備え、そのタスクは、メモリユニット３０、データ入力ユニット４０、警告部ユニット５０、及び表示ユニット６０の調和化であり、望ましい動作を保障することである。このため、制御ユニット２０は、電源部７０に接続されており、電源部７０は、メモリユニット３０、警告部ユニット５０及び表示ユニット６０の動作のために、並びに、データ入力ユニット４０のために、必要な電気エネルギーを提供する。安全性の強化及び偶然のデータロス回避のために、エネルギー源に加えて、ハウジング１０は、補助電源（エネルギー）蓄積部７１を含み、これは、二つのカドミウムバッテリを含むことが好ましい。
【００２４】
図１から容易に理解されるように、計数部ユニット２１と比較部ユニット２２のこの制御ユニット２０に属する。本質的に、計数部ユニット２１は、連続して動作するクロックであり、比較部ユニット２２の入力２２ａに接続されている。時間データ記憶レジスタ３３も、比較部ユニット２２の入力２２ａに接続されており、他方、本実施形態では、比較部ユニット２２の出力２２２ｂは、制御ユニット２０を介して警告部ユニット５０に接続されている。
【００２５】
ここで、固定コンポーネントのロックが、警告部ユニット５０に接続されていることを留意すべきであり、このことは、たとえ、誰かが許可無くハウジング１０を固定コンポーネント８０に接続されたベルトから外そうとしても、警告部ユニット５０が自動的にその企てに警告するので有利である。
【００２６】
本発明による信号デバイスに最初に電源を投入した後の使用中に、製造中にプログラムされた命令が表示ユニット６０に表れ、この命令に基づいて、ユーザは、データ入力ユニット４０の助けを借りてユーザ自身のデータをメモリユニット３０の個人データ記憶レジスタ３２に入力できるので有利である。このため、ユーザは、他の機器でそれ自体公知が公知の方法により、機能選択コンポーネントの助けを借りて、次にスクロールコンポーネント４２の助けを借りて、ユーザが望ましい文字や数字を選択し、これを確認コンポーネント４３で確認し、そして、次の文字を同様な方法で行うことにより、所望の“ＡＢＣ”等の文字を表示する。
【００２７】
機能選択コンポーネント４１の助けを借りて個人データ記憶レジスタ３２を充填した後に、一連の操作が、作動中に設定でき、所与の人によって使用される薬品と他の薬品がメモリユニット３０の時間データ記憶レジスタ３３にプログラムされることができ、更にそれらが服用又は使用されるべき時間と服用又は使用される量がプログラムされることができる。データを入力するために、データ入力ユニット４０の機能選択コンポーネント４１、スクロールコンポーネント４２、確認コンポーネント４３、削除コンポーネント４４、及び所与のケースでは、データ取り出しコンポーネントが使用される。プログラミングのこの段階が完了すると、信号デバイスは、動作の準備が完了する。
【００２８】
信号デバイスを操作している時に、制御ユニット２０の比較部ユニット２２は、計数部ユニット２１からその入力２２ａに連続して到達する時間信号を時間データ記憶レジスタ３３から入力２２ａに到達するプログラムされた時間データと比較する。比較部ユニット２２の入力２２ａに表れかつ計数部ユニット２１からの時間信号と時間データ記憶レジスタ３３から受信した時間データが同じ場合、命令信号が、比較部ユニット２２に表れ、本バージョンでは、直接、制御ユニットを介して、警告部ユニット５０をオフに設定する。警告部ユニット５０は、サウンド、光及び振動の助けを借りて、薬品を使用する時間が来たことを信号デバイスの所持者に警告する。警告部ユニット５０をスイッチオンすることに加えて、制御ユニット２０は、所与の時点に属する、事前にプログラムされた記録を表示ユニット６０に表示し、それによって、ユーザは、服用されるべき薬品が何かを知ることができる。
【００２９】
警告部ユニット５０によって与えられた信号は、所与の期間維持され、次に、短時間停止される。誰もデータ入力ユニット４０の確認コンポーネント４３を押さない場合、警告部ユニット５０は、再び、オフに設定される。先の設定にも拘わらず所定数の繰り返しに達すると、信号デバイスの警告部ユニット５０は、サウンド信号コンポーネント５１、光信号コンポーネント５２、及び機械的信号コンポーネント５３を一緒に自動的にスイッチオンし、この警告部ユニット５０は、最も高いボリュームでサウンド信号コンポーネント５１を更に動作する。更に、警告部ユニット５０は、メモリユニット５０の個人データ記憶レジスタ３２の記憶されたユーザのデータを表示ユニット６０上に表示する。
【００３０】
信号デバイスのこの緊急警告機能は、誰かがデータ入力ユニット４０の確認コンポーネント４３を押すまで、又は電源部７０及び補助電源蓄積部７１が使い果たされるまで維持される。
【００３１】
新たな薬品を使用する場合、メモリユニット３０の時間データ記憶レジスタ３１を、付加することができ、または、そこに記憶されたデータを上書き又は訂正することができる。この操作は、データ入力ユニット４０の機能選択コンポーネント４１、スクロールコンポーネント４２、確認コンポーネント４３、削除コンポーネント４４、データ取り出しコンポーネント４５、及びスタートコンポーネント４６を使用して実行することができる。実行される作業は、表示ユニット６０上で見ることができる。
【００３２】
本発明による信号デバイスは、治療を受けている人々に所与の時間に指示された薬品を使用するように警告することが好ましい全ての場合、及び、継続的に治療を受けている人であって、彼等（彼女等）の病気が、意識を失ったり、彼等（彼女等）が生命維持薬品を自身で服用することができないような重篤な状態の場合に良好に適用されことができる。
【図面の簡単な説明】
【００３３】
【図１】本発明による信号デバイスが適用可能なバージョンのブロック図である。
【図１】
2006503606.tif 000003
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
ユーザのために薬品の設定管理時点を信号で知らせるための信号ポケットデバイスであって、
ハウジング（１０）と、
前記ハウジング（１０）の壁に配され、特に押しボタンのスイッチ要素を含み、ユーザによって前記信号ポケットデバイスを直接操作可能なデータ入力ユニット（４０）と、
前記ハウジング（１０）に収容されたマルチライン表示ユニット（６０）と、
前記ハウジング（１０）に収容されたメモリユニット（３０）と、
前記ハウジング（１０）に収容された警告部ユニット（５０）と、
前記ハウジング（１０）に収容され、前記データ入力ユニット（４０）、前記表示ユニット（６０）、前記メモリユニット（３０）及び前記警告部ユニット（５０）に接続された制御ユニット（２０）と、
前記ハウジング（１０）に収容された電源部（７０）と、
を備え、
前記制御ユニット（２０）は計数部ユニット（２１）と比較部ユニット（２２）とを有し、
前記メモリユニット（３０）は、命令、文字及び数字で製造時に事前にプログラムされたベーシック記憶レジスタ（３１）と、ユーザの個人データを記憶するための個人データ記憶レジスタ（３２）と、ユーザの薬品に対する管理データを記憶するための時間データ記憶レジスタ（３３）と、を含み、前記個人データ記憶レジスタ（３２）及び前記時間データ記憶レジスタ（３３）はランダムアクセスメモリであり、
前記データ入力ユニット（４０）のスイッチ要素は、機能選択コンポーネント（４１）、スクローリングコンポーネント（４２）及び確認コンポーネント（４３）を含み、前記データ入力ユニット（４０）は、前記ベーシック記憶レジスタ（３１）に記憶された前記命令、文字及び数字、並びに、前記スイッチ要素を介してユーザによって入力された命令、文字及び数字に基づいて、前記個人データ記憶レジスタ（３２）及び前記時間データ記憶レジスタ（３３）をプログラムするのに適合しており、
前記警告部ユニット（５０）は、サウンド信号コンポーネント（５１）、警告光信号コンポーネント（５２）及び振動信号コンポーネント（５３）を有し、前記サウンド信号コンポーネント（５１）、前記警告光信号コンポーネント（５２）及び前記振動信号コンポーネント（５３）の動作を互いに独立して又は同時に設定可能であり、
薬品の設定管理時点に到達すると、前記警告部ユニット（５０）及び前記表示ユニット（６０）は、それぞれ、所定の期間警告を発し、投与されるべき薬品についての事前にプログラムされたレコードを表示するように、前記制御ユニット（２０）により制御され、
前記確認コンポーネント（４３）を介してユーザに対する薬品の設定管理時点が確認されず、所定回、警告信号の繰り返しが表れたときに、前記警告部ユニット（５０）及び前記表示ユニット（６０）は、それぞれ、一般的な警告と同時に、最高ボリュームでサウンド信号コンポーネント（５１）を作動させると共に前記警告光信号コンポーネント（５２）及び前記振動信号コンポーネント（５３）を作動させ、前記個人データ記憶レジスタ（３２）に記憶されたユーザの個人データを表示するにするように、前記制御ユニット（２０）により制御されることを特徴とする信号ポケットデバイス。
【請求項２】
前記電源部（７０）は、該電源部（７０）からの電源供給がなくなってもユーザに安全に信号が送られるように、前記ハウジング（１０）に収容され、前記信号ポケットデバイスへ電力を供給する補助電源蓄積部（７１）に連結されていることを特徴とする請求項１に記載の信号ポケットデバイス。
【請求項３】
前記ハウジング（１０）には固定コンポーネント（８０）が固定されており、前記固定コンポーネント（８０）は、前記信号ポケットデバイスの許可されない取外しを信号で知らせるために前記警告部ユニット（５０）に接続されていることを特徴とする請求項１又は請求項２に記載の信号ポケットデバイス。
【請求項４】
前記データ入力ユニット（４０）のスイッチ要素は、削除コンポーネント（４４）、データ取り出しコンポーネント（４５）及びスタートコンポーネント（４６）を更に含むことを特徴とする請求項１乃至請求項３のいずれか１項に記載の信号ポケットデバイス。
【国際調査報告】
2006503606.tif 000004
2006503606.tif 000005